(57)【要約】【課題】握りやすい取手片を備えた包装用箱を提供する。【課題の解決手段】包装用箱１は、一対の前後側壁２，３と、一対の左右側壁４，５とを有し、一対の前後側壁２，３の各上端にはそれぞれ、折り部３０，３１を介して、奥行きが一対の左右側壁４，５の幅と同一で、奥行き方向中央に折り部６，７を設けた蓋片８，９を連接し、これら蓋片８，９の一対の前後側壁２，３との連接端とは反対側端にはそれぞれ、指挿通孔１８，２２を有する取手片１０，１１を連接し、蓋片８，９の垂直部８ｂ，９ｂに係合用切欠部１２，１３，１４，１５を設け、一対の左右側壁４，５の各上端にはそれぞれ、係合用切欠部１２，１３，１４，１５に係合する係合片１６，１７を設けたものである。【選択図】図１
2009023716.tif 000002
【特許請求の範囲】
【請求項１】
前後左右の側壁と、底板片と、蓋片と、取手片と、係合片とを備えた包装用箱であって、一対の前後側壁と、一対の左右側壁とを有し、前記一対の前後側壁の各上端にはそれぞれ、奥行きが前記一対の左右側壁の幅と同一で、奥行き方向中央に折り部を設けた蓋片を連接し、これら蓋片の前記一対の前後側壁との連接端とは反対側端にはそれぞれ、指挿通孔を有する取手片を連接し、互いに連接した蓋片または取手片のいずれかに係合用切欠部を設け、前記一対の左右側壁にはそれぞれ、前記係合用切欠部に係合する係合片を設けたことを特徴とする包装用箱。
【請求項２】
前後左右の側壁と、底板片と、蓋片と、取手片と、係合片とを備えた包装用箱であって、一対の前後側壁と、一対の左右側壁とを有し、前記一対の前後側壁の各上端にはそれぞれ、奥行きが前記一対の左右側壁の幅と同一の蓋片を連接し、これら蓋片の前記一対の前後側壁との連接端とは反対側端にはそれぞれ、指挿通孔を有する取手片を連接し、一方の取手片には他方の取手片と接合したときに折り部を軸として上方に向けて折り返す補助片を設け、互いに連接した蓋片または取手片のいずれかに係合用切欠部を設け、前記一対の左右側壁にはそれぞれ、前記係合用切欠部に係合する係合片を設けたことを特徴とする包装用箱。
【発明の詳細な説明】
【技術分野】
【０００１】
本発明は、各種商品を収納する包装用箱に関する。
【背景技術】
【０００２】
従来からこの種の包装用箱は知られており、一対の前後側壁と、一対の左右側壁と、一対の前後側壁の各上端にそれぞれ設けた蓋片と、蓋片の一対の前後側壁との連接端とは反対側端にそれぞれ設けた指挿通孔を有する取手片と、互いに連接した蓋片または取手片のいずれかに設けた係合用切欠部と、一対の左右側壁にそれぞれ設けた係合用切欠部に係合する係合片と、底面を形成する底板片を備えているのが、一般的な構成である（特許文献１）。
【０００３】
【特許文献１】実開昭５８−１４５８１４号公報
【発明の開示】
【発明が解決しようとする課題】
【０００４】
ところが、従来の包装用箱は、取手片の指挿通孔に指を通して握る際に、握りにくい、という不都合があった。本発明は、このような事情に鑑みてなされたもので、握りやすい取手片を備えた包装用箱を提供することを目的とする。
【課題を解決するための手段】
【０００５】
この目的を達成するために、本発明の請求項１に係る包装用箱は、一対の前後側壁と、一対の左右側壁とを有し、前記一対の前後側壁の各上端にはそれぞれ、奥行きが前記一対の左右側壁の幅と同一で、奥行き方向中央に折り部を設けた蓋片を連接し、これら蓋片の前記一対の前後側壁との連接端とは反対側端にはそれぞれ、指挿通孔を有する取手片を連接し、互いに連接した蓋片または取手片のいずれかに係合用切欠部を設け、前記一対の左右側壁の各上端にはそれぞれ、前記係合用切欠部に係合する係合片を設けたものである。
【０００６】
同じく上記目的を達成するために、本発明の請求項２に係る包装用箱は、一対の前後側壁と、一対の左右側壁とを有し、前記一対の前後側壁の各上端にはそれぞれ、奥行きが前記一対の左右側壁の幅と同一の蓋片を連接し、これら蓋片の前記一対の前後側壁との連接端とは反対側端にはそれぞれ、指挿通孔を有する取手片を連接し、一方の取手片には他方の取手片と接合したときに折り部を軸に上方に向けて折り返す補助片を設け、互いに連接した蓋片または取手片のいずれかに係合用切欠部を設け、前記一対の左右側壁にはそれぞれ、前記係合用切欠部に係合する係合片を設けたものである。
【発明の効果】
【０００７】
本発明の請求項１に係る包装用箱によれば、一対の前後側壁の各上端にそれぞれ、奥行きが一対の左右側壁の幅と同一で、奥行き方向中央に折り部を設けた蓋片を連接し、これら蓋片の前記一対の前後側壁との連接端と反対側端にそれぞれ、指挿通孔を有する取手片を連接したので、取手片における指挿通孔を広くできるとともに、蓋片の水平部分との間隔があいて握りやすい、という効果を奏する。また、本発明の請求項２に係る包装用箱によれば、一方の取手片に他方の取手片と接合したときに折り部を軸に上方に向けて折り返す補助片を設けたので、取手片の指に当たる部分が折り返した補助片となって面積が広くなり、指への負担が軽減して握りやすい、という効果を奏する。
【発明を実施するための最良の形態】
【０００８】
以下、本発明の好適な実施形態を添付図面に基づき説明する。ここにおいて、図１は展開図、図２は組立状態の斜視図である。
【０００９】
図１及び図２に示すように、包装用箱１は、一対の前後側壁２，３と、一対の左右側壁４，５とを有している。一対の前後側壁２，３の各上端にはそれぞれ、折り部３０，３１を介して、奥行きが一対の左右側壁４，５の幅と同一で、奥行き方向中央に折り部６，７を設けた蓋片８，９を連接している。これら蓋片８，９は、前記折り部６，７で水平部８ａ，９ａと垂直部８ｂ，９ｂとに分けられている。
【００１０】
これら蓋片８，９の一対の前後側壁２，３との連接端とは反対側端、すなわち垂直部８ｂ、９ｂには、それぞれ蓋片８，９と同一高さ、換言すると垂直部８ｂ，９ｂの２倍の高さの取手片１０，１１を連接している。また、垂直部８ｂ，９ｂに係合用切欠部１２，１３，１４，１５を設け、一対の左右側壁４，５にはそれぞれ、前記係合用切欠部１２，１３，１４，１５に係合する係合孔３２，３３を有する係合片１６，１７を設けている。
【００１１】
図１で理解できるように、取手片１０には指を挿通して握る指挿通孔１８を形成し、この指挿通孔１８と連続して、折り部１９と一対のスリット２０，２０で区画形成した補助片２１を設けている。また、取手片１１には、指を挿通して握る指挿通孔２２を形成するとともに、この指挿通孔２２内に垂直部９ｂと連接するよう折り部２９を介して係止片２３を設けている。前記指挿通孔２２と前記係止片２３を合わせた面積は、前記指挿通孔１８と前記補助片２１を合わせた面積と同一となっている。
【００１２】
図１において、２４は一方の左右側壁５に接着する糊代である。また、２５，２６．２７，２８は、底面を形成するための底板片である。
【００１３】
図１に示す展開状態から図２に示す包装用箱１を作成するには、まず、糊代２４を一方の左右側壁５に接着し、この側壁５と一方の前後側壁２とを連接して角筒状となし、各底板片２５，２６，２７，２８を組み合わせて底面を形成する。次に、各蓋片８，９を、折り部３０，３１を山折りするとともに、折り部６，７を谷折りして、水平部８ａ，９ａの折り部６，７端同士を突き合わせ、垂直部８ｂ，９ｂ同士、及び取手片１０，１１同士を接合する。そして、補助片２１を取手片１１の接合面とは反対面側に折り部１９を軸として上方に向けて折り返す一方、係止片２３を垂直部８ｂに接合するよう折り返し、係合用切欠部１２，１３，１４，１５に対応する側の係合片１６，１７を各係合孔３２，３３によってそれぞれ係合すればよいものである。
【００１４】
これによって、取手片１０，１１には使用者が指を通すのに十分大きな指挿通孔１８，２２が形成され、また、補助片２１を折り部１９を軸に上方に向けて折り返すことにより、取手片１０，１１における使用者の握った指の当たる部分が折り返した補助片となって面積が広くなり、感触が良好で指への負担が軽減し、痛さを感じることなく、使用しやすいものとなる。
【００１５】
また、包装用箱１は、係合片１６，１７を外したうえ、一方の蓋片８，９、例えば蓋片８を折り部３０で山折りし、この蓋片８に取手片１０を折り重ね、同様にして、前記取手片１０上に他方の蓋片９を折り部３１で山折りして折り重ね、この蓋片９に取手片１１を折り重ね、さらに、各係合片１６，１７を順次折り重ねることで、直方体状になる。そして、この直方体状にすることで、保管することが容易となり、また、配送することも容易となる。
【００１６】
なお、本発明は上述の実施形態に限定されるものではなく、係合用切欠部１２，１３，１４，１５は取手片１０，１１に設けてもよい。
【図面の簡単な説明】
【００１７】
【図１】包装用箱の展開図。
【図２】組立状態の斜視図。
【符号の説明】
【００１８】
１      包装用箱
２、３      前後側壁
４，５      左右側壁
６，７，１９，２９，３０，３１      折り部
８，９      蓋片
８ａ，９ａ      水平部
８ｂ，９ｂ      垂直部
１０，１１      取手片
１２，１３，１４，１５      係合用切欠部
１６，１７      係合片
１８，２２      指挿通孔
２０      スリット
２１      補助片
２３      係止片
２４      糊代
２５，２６，２７，２８      底板片
３２，３３      係合孔
【図１】
2009023716.tif 000003
【図２】
2009023716.tif 000004